(57)【要約】【課題】表示部の光源のオン／オフ制御を行う。【解決手段】指示を入力する操作部１２と、操作部１２から入力した指示に応じた画像を表示する表示部１３と、情報処理装置本体から所定の距離に指示の入力者がいるかどうかを検知するための距離センサ１５と、表示部１３の光源をオンしているときであって操作部１２が操作されていないときに、距離センサ１５によって有効範囲内に物体があるかどうかを測定させ、有効範囲内に物体があれば表示部１３の光源のオンを継続し、有効範囲内に物体がない場合には表示部１３の光源をオフする制御部１１と、制御部１１で所要の動作を行うためデータが格納されたメモリ１４とを備える。【選択図】　　図２
2004021306.tif 000002
【特許請求の範囲】
【請求項１】
指示を入力する操作部と、
前記操作部から入力した指示に応じた画像を表示する表示部と、
情報処理装置本体から所定の距離に指示の入力者がいるかどうかを検知するための距離センサと、
前記表示部の光源をオンしているときであって前記操作部が操作されていないときに、前記距離センサによって有効範囲内に物体があるかどうかを測定させ、当該有効範囲内に物体があれば前記表示部の光源のオンを継続し、当該有効範囲内に物体がない場合には前記表示部の光源をオフする制御部とを備えることを特徴とする情報処理装置。
【請求項２】
前記制御部は、前記距離センサによって有効範囲内に物体があるかどうかを少なくとも２回測定させ、
当該有効範囲内に物体があれば各測定距離に差があるかどうか判別し、
各測定距離に差がある場合には前記表示部の光源のオンを継続し、
各測定距離に差がない場合には前記表示部の光源をオフすることを特徴とする情報処理装置。
【請求項３】
前記制御部は、前記距離センサの測定結果と予め定めているしきい値とに基づいて情報処理装置本体に対する前記有効範囲の位置を変えることを特徴とする請求項１又は２記載の情報処理装置。
【請求項４】
前記制御部は、前記表示部の光源をオンするたびに、前記距離センサによって有効範囲内に物体があるかどうかを測定させ、当該距離センサの測定結果と予め定めているしきい値とに基づいて情報処理装置本体に対する前記有効範囲の位置を変えることを特徴とする請求項１から３の何れか１項記載の情報処理装置。
【請求項５】
さらに、前記制御部はタイマを内蔵しており、当該タイマのタイムアウトをトリガとして前記距離センサに測定をさせ、前記有効範囲の位置を更新するたびに前記タイマをスタートすることを特徴とする請求項１から４の何れか１項記載の情報処理装置。
【請求項６】
さらに、当該有効範囲内に物体がない場合であっても、前記表示部の光源をオフする前に、再度、前記距離センサに測定をさせ、再測定によって前記有効範囲内に物体があれば前記表示部の光源のオンを継続することを特徴とする請求項１から５の何れか１項記載の情報処理装置。
【請求項７】
情報処理装置本体は携帯電話機であることを特徴とする請求項１から６の何れか１項記載の情報処理装置。
【発明の詳細な説明】
【０００１】
【発明の属する技術分野】
本発明は、情報処理装置に関し、特に、携帯電話機、ＰＤＡなどの情報処理装置に関する。
【０００２】
【従来の技術】
従来、ＰＨＳや携帯電話機などは、電池を搭載することによって電源を確保しているが、小型化や多機能化が進み長時間の連続使用が課題となっている。
【０００３】
連続長時間使用のためには省電力化が必須であり多くの電気を消費する表示部等の光源のオン／オフ制御は重要となっている。
【０００４】
【発明が解決しようとする課題】
しかし、従来の技術は、表示部の光源のオン／オフ制御を主として、操作が行われない時間をカウントするタイマ制御により表示部のバックライトオフ等がされているが、これは利用者が表示部を見ているときにも、操作が行われないことでバックライトオフの制御がされてしまう問題がある。この現象を減らすためタイマの時間を長くすると、使用していない状況での消費電力が増えてしまう。
【０００５】
そこで、本発明は、他の手法によって表示部の光源のオン／オフ制御を行うことを課題とする。
【０００６】
【課題を解決するための手段】
上記課題を解決するために、本発明の情報処理装置は、指示を入力する操作部と、前記操作部から入力した指示に応じた画像を表示する表示部と、情報処理装置本体から所定の距離に指示の入力者がいるかどうかを検知するための距離センサと、前記表示部の光源をオンしているときであって前記操作部が操作されていないときに、前記距離センサによって有効範囲内に物体があるかどうかを測定させ、当該有効範囲内に物体があれば前記表示部の光源のオンを継続し、当該有効範囲内に物体がない場合には前記表示部の光源をオフする制御部とを備える。
【０００７】
すなわち、本発明は、表示部と操作部を備える携帯電話機等に距離センサを搭載し、利用者が携帯電話機等を使用する際、携帯電話機等から近傍の物体との間を距離センサにて測定し、前記センサにて測定した物体までの距離が、携帯電話機内に設定した有効範囲に納まるかどうかを判別して、判別結果に応じて表示部光源を制御している。
【０００８】
【発明の実施の形態】
以下、本発明の実施形態について図面を参照して説明する。
【０００９】
（実施形態１）
［構成の説明］
図１は、本発明の実施形態１の携帯電話機の模式的な外観図である。図１には、指示を入力する操作部１２と、操作部１２から入力した指示に応じた画像を表示する表示部１３と、携帯電話機本体から所定の距離に利用者がいるかどうかを検知するための距離センサ１５とを示している。
【００１０】
なお、ここでは、距離センサ１５を、表示部１３と同じ面に搭載している様子を図示しているが、携帯電話機本体から所定の距離に利用者がいるかどうか検知さえできれば他の位置に搭載してもよい。
【００１１】
図２は、図１の携帯電話機の模式的な内部構成図である。図２には、図１に示した操作部１２，表示部１３及び距離センサ１５の他に、携帯電話機本体の動作を制御する制御部１１と、操作部１２から入力された情報や制御部１１で所要の動作を実行するための情報が格納されたメモリ１４とを示している。
【００１２】
［動作の説明］
図３は、図１の携帯電話機で利用者までの距離を測定するメカニズムの説明図である。
【００１３】
図４は、図１の携帯電話機の表示部１３の光源のオン／オフを制御する手法を示すフローチャートである。
【００１４】
表１は、本実施形態及び後述の実施形態２〜４で登場するパラメータを説明する表である。
【００１５】
【表１】
2004021306.tif 000003
まず、携帯電話機の操作部１２が操作されたり、着信などにより携帯電話機イベントが発生し（ステップＡ１０１）、それを制御部１１で検出すると、制御部１１は表示部１３の光源をオンする（ステップＡ１０２）。
【００１６】
つぎに、操作部１２が操作されたかどうかを制御部１１で判別する（ステップＡ１０３）。
【００１７】
判別の結果、操作されている場合には、ステップＡ１０３へ戻る。
【００１８】
一方、判別の結果、操作されていない場合には、さらに制御部１１で、操作部１２が前回操作されていると判別されたときから一定時間経過したかどうか判別される（ステップＡ１０４）。
【００１９】
判別の結果、前回操作されていると判別されたときから一定時間経過してない場合には、ステップＡ１０３へ戻る。
【００２０】
一方、判別の結果、前回操作されていると判別されたときから一定時間経過している場合には、制御部１１は距離センサ１５をオンし、距離センサ１５は以下説明する有効範囲内に利用者が位置するかどうかを判別するために、有効範囲内に物体があるかどうかを測定する（ステップＡ１０５）。
【００２１】
なお、例えば着信に対して、利用者が応答しないときのように、表示部１３の光源がオンしてから操作部１２が操作されずに、一定時間経過したときにも、ステップＡ１０５へ移行する。
【００２２】
ここで、図３に示すように、携帯電話機の使用時には、利用者が表示部１３に対向するようになり、利用者の顔と距離センサ１５との距離は、通常所定の範囲内に納まる。すなわち、利用者の顔と距離センサ１５との距離が極端に狭くなったり、遠くなったりするケースは少ない。
【００２３】
具体的には、だいたい利用者の顔と距離センサ１５との距離は３０ｃｍ前後になると考えられるので、基準距離Ｌａとして３０ｃｍ、さらに基準距離Ｌａに対して±例えば１０ｃｍ（Ｌｍａｘ，Ｌｍｉｎ）の範囲を有効範囲と設定し、実際に距離センサ１５で測定した物体までの測定距離Ｌが有効範囲内に納まっているかどうかを判別する（ステップＡ１０６）。
【００２４】
判別の結果、測定距離Ｌが有効範囲内に納まっている場合には、今回と前回との測定距離に差があるかどうか判別する（ステップＡ１０９）。
【００２５】
判別の結果、今回と前回との測定距離に差があれば、測定対象が人であることが考えられるため、利用者が携帯電話機を使用していると判断してステップＡ１０３へ戻る（ステップＡ１１０）。
一方、判別の結果、測定距離Ｌが有効範囲内に納まっていない場合、利用者が携帯電話機を使用していないと判断してステップＡ１０８へ移行し、判別の結果今回と前回との測定距離に差がなければ、測定対象が物であることが考えられるため、利用者が携帯電話機を使用していないと判断してステップＡ１０８へ移行する（ステップＡ１０７）。
【００２６】
それから、表示部１０３の光源をオフして図４に示す処理を終了する（ステップＡ１０８）。
【００２７】
（実施形態２）
図５は、本発明の実施形態２の携帯電話機の表示部１３の光源のオン／オフを制御する手法を示すフローチャートである。なお、本実施形態の携帯電話機の構成は図１，図２と同様である。
【００２８】
本実施形態では、利用者に応じて基準距離Ｌａを変えられるようにして、より精度よく利用者の携帯電話機の使用の有無を検知できるようにしている。
【００２９】
まず、携帯電話機の操作部１２が操作されたり、着信などにより携帯電話機イベントが発生し（ステップＢ１０１）、それを制御部１１で検出すると、制御部１１は表示部１３の光源をオンする（ステップＢ１０２）。
【００３０】
つぎに、制御部１１はメモリ１４を参照して、利用者専用の基準距離Ｌａを読み出す（ステップＢ１０３）。
【００３１】
なお、以下説明する利用者専用の基準距離Ｌａの更新前、すなわち初期状態では、実施形態１で説明したように、基準距離Ｌａは例えば３０ｃｍに設定されている。
【００３２】
つづいて、制御部１１で、操作部１２が前回の距離センサによる距離測定から一定時間経過したかどうか判別される（ステップＢ１０４）。
【００３３】
判別の結果、前回の距離センサによる距離測定から一定時間経過してない場合には、ステップＢ１１４へ遷移する。
【００３４】
一方、判別の結果、前回の距離センサによる距離測定から一定時間経過している場合には、制御部１１は距離センサ１５をオンし、距離センサ１５は以下説明する有効範囲内に利用者が位置するかどうかを判別するために、有効範囲内に物体があるかどうかを測定するとともに、基準距離Ｌａを補正するためにその物体までの距離を測定して測定距離Ｌを求める（ステップＢ１０５）。
【００３５】
つぎに、ステップＢ１０３で読み出した基準距離Ｌａと、ステップＢ１０５で求めた測定距離Ｌとの差を算出し、その差と所定の基準値との大小を判別する（ステップＢ１０６）。
【００３６】
判別の結果、基準距離Ｌａと測定距離Ｌとの差が所定の基準値よりも小さい場合には、設定されている基準距離Ｌａが適切な距離だと判別して、図４のステップＡ１０６に移行する（ステップＢ１１１）。
【００３７】
一方、判別の結果、基準距離Ｌａと測定距離Ｌとの差が所定の基準値以上の場合には、基準距離Ｌａと測定距離Ｌとのいずれが長いかを判別する（ステップＢ１０７）。
【００３８】
判別の結果、基準距離Ｌａよりも測定距離Ｌの方が短い場合には、想定よりも距離センサ１５に近いところで利用者が携帯電話機を使用していると判別する　（ステップＢ１０８）。
【００３９】
そして、ステップＢ１０６で算出した基準距離Ｌａと測定距離Ｌとの差から補正値を定義し、それまで設定していた基準距離Ｌａを補正値分だけ短くして、有効範囲を表示部に近づく方向へ移動させる（ステップＢ１０９）。
【００４０】
一方、判別の結果、基準距離Ｌａよりも測定距離Ｌの方が長い場合には、想定よりも距離センサ１５に遠いところで利用者が携帯電話機を使用していると判別する　（ステップＢ１１２）。
【００４１】
そして、ステップＢ１０６で算出した基準距離Ｌａと測定距離Ｌとの差から補正値を定義し、それまで設定していた基準距離Ｌａを補正値分だけ長くして、有効範囲を表示部１３から遠ざける方向へ移動させる（ステップＢ１１３）。
【００４２】
それから、制御部１１はメモリ１４に記憶してある補正値を更新して、図４のステップＡ１０６に移行する（ステップＢ１１０）。
【００４３】
なお、本実施形態でも、実施形態１で説明したステップＡ１０９を加えて、測定対象が人であるか物であるかを判別してもよい。
【００４４】
（実施形態３）
図６は、本発明の実施形態３の携帯電話機の表示部１３の光源のオン／オフを制御する手法を示すフローチャートである。なお、本実施形態の携帯電話機の構成は図１，図２と同様であるが、制御部１１内に３つのタイマと、２つのカウンタとを備えている。
【００４５】
本実施形態では、表示部１３の光源のオン／オフ制御を、より使用状況を踏まえて行うようにしているものであり、ここでは、実施形態２で説明した補正値Ｌｄの具体的変更手順（ステップＣ１２１〜Ｃ１３１）と、利用者が携帯電話機を使用しているかどうかの具体的判別手順（ステップＣ１０８〜Ｃ１１４，Ｃ１１９，１２０）と、測定対象物が人かどうかの具体的判別手順（ステップＣ１３２〜Ｃ１３６）とを説明する。
【００４６】
まず、携帯電話機の操作部１２が操作されたり、着信などにより携帯電話機イベントが発生し（ステップＣ１０１）、それを制御部１１で検出すると、制御部１１は表示部１３の光源をオンする（ステップＣ１０２）。
【００４７】
つぎに、制御部１１はメモリ１４を参照して、実施形態２で更新した補正値Ｌｄを読み出す（ステップＣ１０３）。
【００４８】
それから、制御部１１は、内蔵するタイマｔ１〜ｔ３をスタートする（ステップＣ１０４）。タイマｔ１〜ｔ３は、以下説明する各制御を行うタイミングを計る際に利用するものであり、タイマｔ１は携帯電話機の操作部１２の直前の操作完了時からの時間を計測するものであり、タイマｔ２は有効範囲に測定距離Ｌが納まるかどうかの直前の判別からの時間を計測するものであり、タイマｔ３は補正値の直前の更新からの時間を計測するものである。
【００４９】
つぎに、制御部１１は、タイマｔ１，ｔ２をそれぞれリセットして、Ｔ１＝０，Ｔ２＝０とする（ステップＣ１０５，Ｃ１０６）。
【００５０】
それから、制御部１１は、タイマｔ３のタイマ値と所定のＴ３ｍａｘ（例えば１０秒）とを比較する（ステップＣ１０７）。換言すると、例えば１０秒ごとに補正値Ｌｄを変更するための処理を開始する。比較の結果、Ｔ３がＴ３ｍａｘを超えている場合、すなわち直前の補正値Ｌｄ変更のための処理を開始してから例えば１０秒後に、距離センサ１５によって対象物までの距離Ｌを測定する（ステップＣ１２１）。
【００５１】
そして、制御部１１は、利用者の使用を想定した基準距離Ｌａに補正値Ｌｄを加えた値から、例えば５ｃｍ程の許容差Ｄ１を差し引いた値と、実際の距離Ｌとを比較する（ステップＣ１２２）。
【００５２】
ここで、許容差Ｄ１とは、図３に示すように、測定距離Ｌと基準距離Ｌａとには数ｃｍの差があるので、これを考慮したものである。
【００５３】
比較の結果、実際の距離Ｌの方が短ければ、制御部１１は元の補正値Ｌｄから例えば１ｃｍ程度の変化量Ｄ２分だけ差し引いて、それを新たな補正値Ｌｄとする（ステップＣ１２３）。
【００５４】
ここで、許容差Ｄ２とは、たまたま携帯電話機の利用者と携帯電話機との距離が一時的に変わっただけで、補正値Ｌｄが大きく変動しないようにするために用いるものである。
【００５５】
そして、制御部１１は新たな補正値Ｌｄと所定の最変動可能値−Ｄｍａｘ（例えば−１５ｃｍ）とを比較する（ステップＣ１２４）。
【００５６】
比較の結果、補正値Ｌｄの方が小さければ、制御部１１は、その補正値Ｌｄを最変動可能値−Ｄｍａｘとしたものを新たな補正値Ｌｄとし　（ステップＣ１２５）、補正値Ｌｄの方が大きければ、そのままの状態でメモリ１４に記憶してある補正値を新たな補正値Ｌｄとして（ステップＣ１２６）、タイマｔ３をリセットしてＴ３＝０として、補正値Ｌｄ算出の制御を終了し、ステップＣ１０７に戻る（ステップＣ１２７）。
【００５７】
一方、比較の結果、実際の距離Ｌの方が長ければ、利用者の使用を想定した基準距離Ｌａと補正値Ｌｄとを加えた値に、例えば５ｃｍ程の許容差Ｄ１を加えた値と、実際の距離Ｌとを比較する（ステップＣ１２８）。
【００５８】
比較の結果、実際の距離Ｌの方が長ければ、制御部１１は元の補正値Ｌｄに例えば１ｃｍ程度の変化量Ｄ２分を加えて、それを新たな補正値Ｌｄとする（ステップＣ１２９）。
【００５９】
一方、比較の結果、実際の距離Ｌの方が短ければ、ステップＣ１２７に移行する。
【００６０】
つぎに、制御部１１は新たな補正値Ｌｄと所定の最変動可能値Ｄｍａｘ（例えば１５ｃｍ）とを比較する（ステップＣ１３０）。
【００６１】
比較の結果、新たな補正値Ｌｄの方が長ければ、制御部１１はその補正値ＬｄをＤｍａｘとしたものを新たな補正値Ｌｄとして、ステップＣ１２６へ移行する（ステップＣ１３１）。
【００６２】
その後、ステップＣ１０７に戻ると、タイマｔ３のタイマ値は０になったばかりで、Ｔ３ｍａｘよりも少ないため、制御部１１は利用者による携帯電話機の操作部１２の操作の有無を判別する（ステップＣ１０８）。
【００６３】
判別の結果、携帯電話機の操作部１２の操作があれば、ステップＣ１０５へ戻る。なお、ステップＣ１０５では、ステップＣ１０８での判別結果もリセットしている。
【００６４】
一方、判別の結果、携帯電話機の操作部１２の操作がなければ、タイマｔ２と所定のＴ２ｍａｘ（例えば５秒）とを比較して（ステップＣ１０９）、タイマｔ２の方が少なければステップＣ１０７へ戻り、タイマｔ２の方が多ければ距離センサ１５を用いて対象物までの距離Ｌを測定する（ステップＣ１１０）。
【００６５】
つづいて、測定距離Ｌが有効範囲内（Ｌｍｉｎ＋Ｌｄ＜Ｌ＜Ｌｍａｘ＋Ｌｄ）にあるかどうかの判別する（ステップＣ１１１，Ｃ１１２）。対象物が表示部１３より近すぎたり遠すぎたりして、測定距離Ｌが有効範囲外の場合には、利用者が表示部１３を見ていないと判断し、制御部１１に内蔵しているカウンタのカウント値Ｃ１を増加する（ステップＣ１１９）。
【００６６】
ここで、カウント値Ｃ１のカウンタとは、測定距離Ｌが有効範囲外のときの回数を計測しており、たまたま一時的に測定距離が有効範囲内から外れたときに表示部１３の光源がオフしないようにするものである。
【００６７】
カウント値Ｃ１と規定回数Ｃ１ｍａｘ（例えば２）とを比較し（ステップＣ１２０）、カウント値Ｃ１の方が大きい場合、表示部１３の光源をオフし（ステップＣ１１５）、タイマｔ１〜ｔ３を停め、カウント値Ｃ１をリセットし、図６に示す処理を終了する（ステップＣ１１７）。
【００６８】
一方、測定距離Ｌが有効範囲内にある場合には、カウント値Ｃ１をリセットしてＣ１＝０とする（ステップＣ１１３）。そして、今回の測定距離Ｌと前回の測定距離Ｌ１との差の２乗と、測定距離Ｌの許容最小変位Ｄ３（例えば０．５ｃｍ）の２乗との長短を比較する（ステップＣ１３２）。
【００６９】
比較の結果、測定距離Ｌの許容最小変位Ｄ３の２乗の方が長かったら、元のカウント値Ｃ２に１を加えたものを新たなカウント値Ｃ２とする（ステップＣ１３５）。
【００７０】
ここで、カウント値Ｃ２のカウンタとは、測定距離Ｌの変位が許容最小変位Ｄ３以下だった回数を示しており、測定対象が利用者であるか物であるかを判別するためのものである。
【００７１】
そして、カウント値Ｃ２と、表示部１３の光源をオフするための最大値Ｃ２ｍａｘ（例えば２）とを比較する（ステップＣ１３６）。
【００７２】
比較の結果、カウント値Ｃ２の方が大きければ、ステップＣ１１５へ移行する。一方、カウント値Ｃ２の方が小さければ、ステップＣ１３４へ移行する。
【００７３】
また、比較の結果、測定距離Ｌの許容最小変位Ｄ３の２乗の方が短かったら、カウント値Ｃ２をリセットして、Ｃ２＝０とする（ステップＣ１３３）。
【００７４】
そして、前回の測定距離Ｌ１に今回の測定距離Ｌを代入して、今回の測定距離Ｌを、前回の測定距離Ｌ１として更新する（ステップＣ１３４）。
【００７５】
つづいて、タイマｔ１と操作部１２の操作なしの時間Ｔ１ｍａｘ（例えば１２０秒）とを比較する（ステップＣ１１４）。比較の結果、タイマｔ１の方が小さければステップＣ１０６へ戻る。タイマｔ１の方が大きければステップＣ１１５へ移行する（ステップＣ１１４）。
【００７６】
（実施形態４）
図７は、本発明の実施形態４の携帯電話機の表示部１３の光源のオン／オフを制御する手法を示すフローチャートである。なお、本実施形態の携帯電話機の構成は図１，図２と同様であるが、制御部１１に測定距離Ｌの直前の計測からの時間を計測するタイマｔ４を内蔵している。
【００７７】
本実施形態では、携帯電話機の使用開始時に表示部１３の光源をオンするときの制御について説明する。
【００７８】
まず、制御部１１によって、携帯電話機の光源オフを検知すると（ステップＤ２０１）、実施形態２で説明した補正値Ｌｄをメモリ１４から読み出す（ステップＤ２０２）。
【００７９】
その後、タイマｔ４をスタートさせ（ステップＤ２０３）、一度、タイマｔ４をリセットしてＴ４＝０とする（ステップＤ２０４）。
【００８０】
それから、携帯電話機の操作部１２が操作されたり、着信などにより携帯電話機イベント発生がされたかどうか制御部１１判別する（ステップＤ２０５）。
【００８１】
判別の結果、操作部１２が操作等されていれば、制御部１１は表示部１３の光源をオンして、図７に示す処理を終了する（ステップＤ２１０）。
【００８２】
一方、判別の結果、操作部１２が操作等されていなければ、タイマｔ４のタイマ値と所定のしきい値Ｔ４ｍａｘとを比較する（ステップＤ２０６）。
【００８３】
ここで、タイマｔ４は、所定時間（しきい値Ｔ４ｍａｘ）ごとに、距離センサ１５を駆動するためのものである。
【００８４】
このため、タイマｔ４のタイマ値がしきい値Ｔ４ｍａｘよりも小さければ、ステップＤ２０５へ戻る。一方、タイマｔ４のタイマ値がしきい値Ｔ４ｍａｘよりも大きければ、距離センサ１５において対象物までの距離を測定する（ステップＤ２０７）。
【００８５】
つづいて、測定距離Ｌが有効範囲内（Ｌｍｉｎ＋Ｌｄ＜Ｌ＜Ｌｍａｘ＋Ｌｄ）にあるかどうかの判別する（ステップＤ２０８，Ｄ２０９）。対象物が表示部１３より近すぎたり遠すぎたりして、測定距離Ｌが有効範囲外の場合にはステップＤ２０４へ戻り、測定距離Ｌが有効範囲内の場合には、今回の測定距離Ｌと前回の測定距離Ｌ１との差の２乗と、測定距離Ｌの許容最小変位Ｄ３（例えば０．５ｃｍ）の２乗との長短を比較する（ステップＤ２１１）。
【００８６】
比較の結果、測定距離Ｌの許容最小変位Ｄ３の２乗の方が短かったら、元のカウント値Ｃ２に１を加えたものを新たなカウント値Ｃ２とする（ステップＤ２１２）。
【００８７】
そして、カウント値Ｃ２と、表示部１３の光源をオンするための最大値Ｃ２ｍａｘ（例えば２）とを比較する（ステップＤ２１３）。
【００８８】
比較の結果、カウント値Ｃ２の方が小さければ、ステップＤ２０４へ移行する。一方、カウント値Ｃ２の方が大きければ、ステップＤ２１０へ移行する。
【００８９】
また、比較の結果、測定距離Ｌの許容最小変位Ｄ３の２乗の方が長かったら、カウント値Ｃ２をリセットして、Ｃ２＝０とする（ステップＤ２１４）。
【００９０】
そして、前回の測定距離Ｌ１に今回の測定距離Ｌを代入して、今回の測定距離Ｌを、前回の測定距離Ｌ１として更新する（ステップＤ２１５）。
【００９１】
なお、携帯電話機が折畳式のものである場合には、携帯電話機を折り畳んでいる状態から開くと、本制御により表示部１３の光源をオンして、利用者の操作性の利便を図ることも可能となる。
【００９２】
本発明の各実施形態では、表示部１３の光源のオン／オフを制御する場合を例に説明したが、携帯電話機内の動作中のアプリケーション（動画再生、ゲーム等）停止／再開を制御するようにしてもよい。特に、動画再生等のアプリケーションは消費電力が大きいので有効である。
【００９３】
また、携帯電話機が、ＧＰＳ衛星との間で電波の送受信をして位置検出を行えるものの場合には、位置検出の実行／停止の制御を行えるようにしてもよい。
【００９４】
さらに、各実施形態では、携帯電話機を例に説明したが、ＰＤＡや、パーソナルコンピュータや、テレビ等の表示部を備えた装置であればよい。
【００９５】
なお、パーソナルコンピュータや、テレビの場合には、表示部１３の光源のみならず、音声のオン／オフ制御も行い、さらにこれらをオフにした場合には、距離センサ１５だけをオン状態としておき、利用者が有効範囲内に戻ってきたら、これらをオンに戻せばよい。
【００９６】
ちなみに、　表１のパラメータは携帯電話機用なので、このパラメータはそれぞれの媒体に応じた値に変更すればよい。
【００９７】
【発明の効果】
以上、説明したように、本発明によると、操作部が操作されていないときに、距離センサによって有効範囲内に物体があるかどうかを測定させ、有効範囲内に物体があれば表示部の光源のオンを継続し、有効範囲内に物体がない場合には表示部の光源をオフするので、操作が行われないことによって、表示部の光源がオフされることをなくすことができる。
【図面の簡単な説明】
【図１】本発明の実施形態１の携帯電話機の模式的な外観図である。
【図２】図１の携帯電話機の模式的な内部構成図である。
【図３】図１の携帯電話機で利用者までの距離を測定するメカニズムの説明図である。
【図４】図１の携帯電話機の表示部１３の光源のオン／オフを制御する手法を示すフローチャートである。
【図５】本発明の実施形態２の携帯電話機の表示部１３の光源のオン／オフを制御する手法を示すフローチャートである。
【図６】本発明の実施形態３の携帯電話機の表示部１３の光源のオン／オフを制御する手法を示すフローチャートである。
【図７】本発明の実施形態４の携帯電話機の表示部１３の光源のオン／オフを制御する手法を示すフローチャートである。
【符号の説明】
１１　制御部
１２　操作部
１３　表示部
１４　メモリ
１５　距離センサ
【図１】
2004021306.tif 000004
【図２】
2004021306.tif 000005
【図３】
2004021306.tif 000006
【図４】
2004021306.tif 000007
【図５】
2004021306.tif 000008
【図６】
2004021306.tif 000009
【図７】
2004021306.tif 000010